(57)【特許請求の範囲】
【請求項１】
自動的なフォーカスを使用して画像をキャプチャする方法であって、
カメラデバイスが、ワイヤレスネットワークを通じてワイヤレスデバイスからの送信を受信すること、前記送信は、前記送信がいつ送られたかを示す時間情報を含む、と、
前記受信された送信に含まれる前記時間情報を前記送信が前記カメラデバイスにおいて受信されたときの時間と比較することに基づいて、前記カメラデバイスと前記ワイヤレスデバイスとの間の距離を決定することと、
前記決定された距離に基づいて前記カメラデバイスのカメラのフォーカスを調整することと、
前記カメラの前記調整されたフォーカスを使用して画像をキャプチャすることと
を備える、方法。
【請求項２】
前記カメラデバイスと前記ワイヤレスデバイスとの間の前記距離を決定することは、前記カメラのグローバルポジショニングシステムロケーションと前記ワイヤレスデバイスのグローバルポジショニングシステムロケーションとを使用することをさらに備える、
請求項１に記載の方法。
【請求項３】
前記ワイヤレスデバイスのグローバルポジショニングシステムロケーションを前記カメラが受信することをさらに備える、
請求項２に記載の方法。
【請求項４】
前記ワイヤレスネットワークは、ＩＥＥＥ ８０２．１１ベースのネットワーク、セルラネットワーク、又はブルートゥースネットワークのうちの１つである、
請求項３に記載の方法。
【請求項５】
前記カメラデバイスを使用して、前記ワイヤレスネットワークを通じて前記ワイヤレスデバイスからのグローバルポジショニングシステムロケーションを要求することをさらに備える、
請求項２に記載の方法。
【請求項６】
前記ワイヤレスネットワークは、１つ又は複数のＩＥＥＥ ８０２．１１規格下で動作するネットワークを備える、
請求項１に記載の方法。
【請求項７】
前記ワイヤレスネットワークは、ピアツーピアワイヤレスネットワークを備え、ワイヤレスネットワークと通信することは、前記ピアツーピアワイヤレスネットワークを介して前記ワイヤレスデバイスと通信することを備える、
請求項１に記載の方法。
【請求項８】
前記ワイヤレスデバイスは、前記画像の対象である人物によって着用されるモバイルデバイスを備える、
請求項１に記載の方法。
【請求項９】
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
をさらに備える、請求項１に記載の方法。
【請求項１０】
前記カメラデバイスと前記ワイヤレスデバイスとの間の距離を決定することは、前記カメラデバイスと前記ワイヤレスデバイスとの間の距離を約１メートルの精度で決定することを備える、
請求項１に記載の方法。
【請求項１１】
前記カメラの前記調整されたフォーカスを使用して画像をキャプチャすることは、前記カメラの前記調整されたフォーカスを使用して、複数の画像を備えるビデオをキャプチャすることを備える、
請求項１に記載の方法。
【請求項１２】
前記時間情報は、タイムスタンプを備える、
請求項1に記載の方法。
【請求項１３】
自動的なフォーカスを使用して画像をキャプチャするための装置であって、
１つ又は複数の画像をキャプチャするように構成されたカメラと、
処理システムと
を備え、前記処理システムは、
ワイヤレスデバイスからの送信を受信するために、ワイヤレスネットワークと通信すること、前記送信は、前記送信がいつ送られたかを示す時間情報を含む、と、
前記時間情報を前記送信が前記処理システムにおいて受信されたときの時間と比較することによって、前記カメラと前記ワイヤレスデバイスとの間の距離を決定することと、
前記決定された距離に基づいて前記カメラのフォーカスを調整することと
を行うように構成される、装置。
【請求項１４】
前記ワイヤレスネットワークは、ＩＥＥＥ ８０２．１１ベースのネットワーク、セルラネットワーク、またはブルートゥースネットワークのうちの１つである、
請求項１３に記載の装置。
【請求項１５】
前記ワイヤレスネットワークは、ピアツーピアワイヤレス通信ネットワークを備え、前記処理システムは、前記ピアツーピアワイヤレス通信ネットワークを介して前記ワイヤレスデバイスと通信するようにさらに構成される、
請求項１３に記載の装置。
【請求項１６】
前記ワイヤレスデバイスは、前記画像の対象である人物によって着用されるモバイルデバイスを備える、
請求項１３に記載の装置。
【請求項１７】
前記処理システムは、前記ワイヤレスネットワークを通じて前記ワイヤレスデバイスからのグローバルポジショニングシステムロケーションを要求するようにさらに構成される、
請求項１３に記載の装置。
【請求項１８】
前記処理システムは、
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
を行うようにさらに構成される、請求項１３に記載の装置。
【請求項１９】
前記処理システムは、前記カメラと前記ワイヤレスデバイスとの間の前記距離を約１メートルの精度で決定するようにさらに構成される、
請求項１３に記載の装置。
【請求項２０】
前記カメラは、前記調整されたフォーカスを使用してビデオを画像キャプチャするようにさらに構成される、
請求項１３に記載の装置。
【請求項２１】
装置であって、
画像をキャプチャするための手段と、
通信するための手段においてワイヤレスデバイスからの送信を受信するために、ワイヤレスネットワークを介して前記ワイヤレスデバイスと前記通信するための手段、前記送信は、前記送信がいつ送られたかを示す時間情報を含む、と、
前記時間情報を前記送信が前記通信するための手段において受信された時間と比較することによって、前記画像を前記キャプチャするための手段と前記ワイヤレスデバイスとの間の距離を決定するための手段と、
前記決定された距離に少なくとも部分的に基づいて前記画像を前記キャプチャするための手段のフォーカスを調整するための手段と
を備える、装置。
【請求項２２】
前記ワイヤレスネットワークは、ＩＥＥＥ ８０２．１１ベースのネットワーク、セルラネットワーク、又はブルートゥースネットワークのうちの１つである、
請求項２１に記載の装置。
【請求項２３】
前記ワイヤレスネットワークは、ピアツーピアワイヤレスネットワークを備える、
請求項２１に記載の装置。
【請求項２４】
距離を前記決定するための手段は、受信されたグローバルポジショニングシステムロケーションに部分的に基づいて、前記画像を前記キャプチャするための手段と前記ワイヤレスデバイスとの間の前記距離を決定する、
請求項２１に記載の装置。
【請求項２５】
前記ワイヤレスネットワークを使用して、前記画像を前記キャプチャするための手段から前記ワイヤレスデバイスへの方向を決定するための手段と、
前記決定された方向に少なくとも基づいて、前記ワイヤレスデバイスが前記画像を前記キャプチャするための手段の視野内にあるかどうかを決定するための手段と
をさらに備える、請求項２１に記載の装置。
【請求項２６】
距離を前記決定するための手段は、前記画像を前記キャプチャするための手段と前記ワイヤレスデバイスとの間の距離を約１メートルの精度で決定するようにさらに構成される、
請求項２１に記載の装置。
【請求項２７】
前記画像を前記キャプチャするための手段は、カメラを備え、前記通信するための手段は、トランシーバを備える、
請求項２１に記載の装置。
【請求項２８】
非一時的なコンピュータ可読媒体であって、実行されると、装置に、
カメラデバイスが、ワイヤレスネットワークを通じてワイヤレスデバイスからの送信を受信すること、前記送信は、前記送信がいつ送られたかを示す時間情報を含む、と、
前記時間情報を前記送信が前記カメラデバイスにおいて受信されたときの時間と比較することによって、前記カメラデバイスと前記ワイヤレスデバイスとの間の距離を決定することと、
前記決定された距離に基づいて前記カメラデバイスのカメラのフォーカスを調整することと、
前記カメラの前記調整されたフォーカスを使用して画像をキャプチャすることと
を行わせるコードを備える、非一時的なコンピュータ可読媒体。
【請求項２９】
実行されると、装置に、前記カメラのグローバルポジショニングシステムロケーションと前記ワイヤレスデバイスのグローバルポジショニングシステムロケーションとに少なくとも部分的に基づいて、前記カメラデバイスと前記ワイヤレスデバイスとの間の前記距離を決定することを行わせるコードをさらに備える、
請求項２８に記載の非一時的なコンピュータ可読媒体。
【請求項３０】
実行されると、装置に、
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
を行わせるコードをさらに備える、請求項２８に記載の非一時的なコンピュータ可読媒体。
【発明の詳細な説明】
【技術分野】
【０００１】
[0001]本特許出願は、一般的には、カメラにおけるオートフォーカスのためのシステム及び方法に関し、より具体的には、カメラにおけるフォートフォーカスを改善するためにＷｉ−Ｆｉを使用するためのシステム、方法、及びデバイスに関する。
【背景技術】
【０００２】
[0002]多数の異なる技法が、デジタルカメラに自動的なフォーカス（オートフォーカス（autofocus））性能を提供するために、当技術分野において利用可能である。例えば、様々なオートフォーカス技法は、画像の鮮明さを決定すること、及び当該鮮明さに基づいてレンズのフォーカスを調整することに基づき得る。これらの技法は、これらが全く被写体と接触することを要しないので、受動的オートフォーカス技法（passive autofocus techniques）と称され得る。例えば、遠隔の被写体までの距離を決定するための様々な方法を使用する、能動的技法（active techniques）もまた使用され得る。異なる技法は、ある恩恵及び欠点を有し得る。例えば、能動的技法は、より正確であり、より早く実行し得るが、より多くの処理を要し得、さらなるコンポーネントを要し得る。なお、両方の技法は、様々な距離における大量の被写体を伴う場面において、正しい被写体にフォーカスすることができない場合がある。したがって、カメラオートフォーカスのための改善された技法が望まれる。
【発明の概要】
【０００３】
[0003]添付された特許請求の範囲内のシステム、方法、及びデバイスの様々なインプリメンテーションの各々は、数個の態様を有し、これらのうちのどれ１つとして、単独でここに説明される望ましい属性（attributes）を担うものではない。添付された特許請求の範囲を限定することなく、いくつかの顕著な特徴がここに説明される。
【０００４】
[0004]本明細書で説明される主題の１つ又は複数のインプリメンテーションの詳細は、以下の説明及び添付図面で記述される。他の特徴、態様、及び利点は、説明、図面、及び特許請求の範囲から明らかになるであろう。以下の図の相対的な寸法は、原寸通りに描かれていない場合があることに留意されたい。
【０００５】
[0005]１つの態様では、自動的なフォーカスを使用して画像をキャプチャする方法が説明される。方法は、ワイヤレス通信ネットワークを介してワイヤレスデバイスと、カメラを使用して、通信することと、ワイヤレス通信ネットワークを使用してカメラとワイヤレスデバイスとの間の距離を決定することと、決定された距離に基づいてカメラのフォーカスを調整することと、カメラの調整されたフォーカスを使用して画像をキャプチャすることと、を含む。
【０００６】
[0006]いくつかの態様では、ワイヤレス通信ネットワークは、１つ又は複数のＩＥＥＥ ８０２．１１規格及び／又はピアツーピアワイヤレス通信ネットワーク下で動作するネットワークを含み得る。ワイヤレスデバイスは、画像の被写体としての人物によって着用されるモバイルデバイスを含み得、カメラが識別し、通信するように構成されるワイヤレスデバイスであり得る。ここで説明される方法はまた、ワイヤレス通信ネットワークを使用して、カメラからワイヤレスデバイスへの方向を決定することと、決定された方向に少なくとも基づいて、ワイヤレスデバイスがカメラの視野内にあるかどうかを決定することと、を含み得る。いくつかの態様では、カメラとワイヤレスデバイスとの間の距離を決定することは、約１メートルの精度でカメラとワイヤレスデバイスとの間の距離を決定することを含み得る。いくつかの態様では、カメラの調整されたフォーカスを使用して画像をキャプチャすることは、カメラの調整されたフォーカスを使用して、複数の画像を含む、ビデオをキャプチャすることを含み得る。
【０００７】
[0007]本開示の１つの態様は、１つ又は複数の画像をキャプチャするように構成されるカメラを含む、自動的なフォーカスを使用して画像をキャプチャするための装置を提供する。装置は、ワイヤレス通信ネットワークを介してワイヤレスデバイスと通信することと、ワイヤレス通信ネットワークを使用してカメラとワイヤレスデバイスとの間の距離を決定することと、決定された距離に基づいてカメラのフォーカスを調整することと、調整されたフォーカスを使用してカメラで画像をキャプチャすることと、を行うように構成された処理システムをさらに含む。
【０００８】
[0008]１つの態様では、本開示は、ワイヤレス通信ネットワークを介してワイヤレスデバイスと、カメラを使用して、通信するための手段と、ワイヤレス通信ネットワークを使用してカメラとワイヤレスデバイスとの間の距離を決定するための手段と、決定された距離に基づいてカメラのフォーカスを調整するための手段と、カメラの調整されたフォーカスを使用して画像をキャプチャするための手段と、を含む、自動的なフォーカスを使用して画像をキャプチャするための装置を提供する。
【０００９】
[0009]本開示の１つの態様は、実行されると、装置に、ワイヤレス通信ネットワークを介してワイヤレスデバイスと、カメラを使用して、通信することを行わせるコードを備える非一時的なコンピュータ可読媒体を提供する。コードは、装置に、ワイヤレス通信ネットワークを使用してカメラとワイヤレスデバイスとの間の距離を決定することと、決定された距離に基づいてカメラのフォーカスを調整することと、カメラの調整されたフォーカスを使用して画像をキャプチャすることと、をさらに行わせる。
【図面の簡単な説明】
【００１０】
【図１】図１は、本開示の態様が用いられることができるワイヤレス通信システム１００の例を図示する。
【図２】図２は、図１のワイヤレス通信システム内に用いられることができるワイヤレスデバイスにおいて利用されることができる様々なコンポーネントを図示する。
【図３Ａ】図３Ａは、カメラにオートフォーカス性能を提供するためのＷｉ−Ｆｉを使用する方法の図示である。
【図３Ｂ】図３Ｂは、本開示のいくつかの態様にしたがう、互いに通信するカメラ及び被写体のデバイスの図示である。
【図４】図４は、本開示のある態様にしたがう、ワイヤレスレンジング（wireless ranging）を使用して画像をキャプチャする例示的な方法の図示である。
【発明を実施するための形態】
【００１１】
[0015]「例示的（exemplary）」という用語は、ここで、「例、事例、又は図示としての役割を果たす」という意味で使用される。「例示的」としてここで説明されるいずれの実施形態も、他の実施形態と比較して有利である、又は好ましいとして、必ずしも解釈されない。新規のシステム、装置、及び方法の様々な態様が、添付図面を参照して以下により十分に説明される。本開示は、しかしながら、多くの異なる形式で具現化され得、本開示全体を通して提示される任意の特定の構成又は機能に限定されると解釈されるべきではない。むしろ、これらの態様は、この開示が徹底的かつ完全なものであり、本開示の範囲が当業者に十分に伝わるように、提供される。ここでの教示に基づき、当業者は、本開示の範囲が、本発明の任意の他の態様とは独立して、又は組み合わされてインプリメントされようと、ここにおいて開示される新規のシステム、装置、及び方法の任意の態様をカバーするように意図されていることを認識すべきである。例えば、ここにおいて説明されている任意の数の態様を使用して、装置が実装され得、方法が実施され得る。さらに、本発明の範囲は、他の構造、機能性、又はここにおいて説明される発明の様々な態様のさらなる、若しくはそれ以外の構造及び機能性を使用して実現される、そのような装置又は方法をカバーするように意図されている。ここにおいて開示される任意の態様は、特許請求の範囲の１つ又は複数のエレメント（element）によって具現化され得ることを理解されたい。
【００１２】
[0016]特定の態様がここで説明されるが、これらの態様の多くの変形及び置換が、本開示の範囲内に含まれる。好ましい態様のいくつかの恩恵及び利点が言及されるが、本開示の範囲は、特定の恩恵、使用、又は目的に限定されることが意図されない。むしろ、本開示の態様は、異なるワイヤレス技術、システム構成、ネットワーク、及び伝送プロトコルに広く適用可能であることが意図され、そのうちのいくつかは、図及び好ましい態様の下記の説明において、例として図示される。詳細な説明及び図面は、限定というよりはむしろ本開示の単なる実例であり、本開示の範囲は添付される特許請求の範囲及びそれらの同等物によって定義される。
【００１３】
[0017]デジタルカメラ、例えば、デジタル一眼レフ（ＤＳＬＲ）カメラ、モバイルフォンカメラ、ミラーレスカメラ、及び他のカメラ、を含む現代のカメラ機器は、オートフォーカスモードを含む。当該モードは、ユーザがレンズ及び設定を手動で調整することを要さずに、カメラが、自動的にある場面における１つ又は複数の被写体にフォーカスすることを可能にする。様々な技法が、オートフォーカス性能をカメラに提供するために利用可能である。一般的に、これらの技法は、２つのカテゴリ、受動的オートフォーカス技法及び能動的オートフォーカス技法、に分けられ得る。
【００１４】
[0018]受動的オートフォーカス技法は、受信される画像の鮮明さに基づいてカメラのフォーカスを調整するオートフォーカス方法として定義され得る。例えば、画像は、カメラによって受信され得、プロセッサ又は他の手段を使用して解析され得る。当該解析は、画像の鮮明さを決定するために使用され得、例えば、画像の隣接するピクセル間の輝度及び色の変化の割合に基づいて画像の鮮明さを決定する。画像が鮮明か否かの当該決定に基づいて、カメラのフォーカスは、画像の鮮明さを調整するために調整され得る。カメラのフォーカスが調整された後、画像の鮮明さは、画像が鮮明さの望ましいレベルを、例えば閾値に基づいて、取得するまで、繰り返し処理内でかさねて決定され得る。いくつかの態様では、当該繰り返し技法は、相対的に遅くなり得る。一般的に、当該技法の繰り返しの性質により、画像の鮮明さは、フォーカスするためにより多くの時間をかける（より多くの繰り返しを行う）ことによって向上し得る。しかしながら、多くの場合のように、ここには、例えばユーザが一時的な場面及び動く被写体、をキャプチャするために速いオートフォーカス時間を望み得る、といったトレードオフが存在する。
【００１５】
[0019]能動的オートフォーカス技法は、ある場面内の被写体までの距離を決定するため、及び当該距離に基づいてカメラのフォーカスを調整するため、の様々な方法を説明し得る。例えば、能動的オートフォーカス技法は、ステレオ画像、超音波、飛行時間（time of flight）、又はカメラをフォーカスするために被写体までの距離を決定するためのその他の技法、を使用し得る。当該決定された距離に基づき、カメラのフォーカスは、例えば、決定された距離離れた被写体をフォーカスに至らせるためにカメラ内のレンズを調整することによって、調整され得る。
【００１６】
[0020]一般的に、能動的技法は、受動的技法に対して多数の利点を提示し得る。能動的技法は、単一の回数、単一のステップ内で、距離を決定し、カメラのフォーカスを調整することができ得るので、能動的技法は、受動的技法よりも素早く動作し得る。対照的に、ある受動的技法は、例えば、繰り返し処理において、画像の鮮明さを計算することと、カメラのフォーカスを調整することと、画像のもう１つの鮮明さを計算することと、その他のことと、を要し得る。当該処理の繰り返しの性質のため、それは複数回発生し得る。カメラのフォーカスが調整されるたび、及び受信された画像の鮮明さが決定されるたびに、ある程度の時間がかかり得る。したがって、受動的技法は、画像をフォーカスするために能動的技法よりもしばしば時間がかかり得る。なお、能動的オートフォーカス技法は、被写体までの距離を直接的に決定するため、これらの技法はまた、受動的オートフォーカス技法よりも良く実行し得、ここにおいて、受動的オートフォーカス技法は、オートフォーカスに時間がかかりすぎて便利でなくなる前にフォーカスが繰り返して改善されることができる回数によって限定され得る。  
Ｗｉ−Ｆｉネットワーク及びデバイス
【００１７】
[0021]ワイヤレスネットワーク技術は、ワイヤレスローカルエリアネットワーク（ＷＬＡＮ）の様々なタイプを含むことができる。ＷＬＡＮは、広く使用されるネットワーキングプロトコルを用いて、近くのデバイスをみな相互接続するために使用されることができる。ここで説明される様々な態様は、例えば、Ｗｉ‐Ｆｉ、又はより一般的には、ワイヤレスプロトコルのＩＥＥＥ ８０２．１１ファミリの任意のメンバ、例えば、ＩＥＥＥ ８０２．１１ｍｃ、のような任意の通信規格に適用することができる。
【００１８】
[0022]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭ及びＤＳＳＳ通信の組み合わせ、又は他のスキームを使用して、高効率８０２．１１プロトコルにしたがって送信されることができる。
【００１９】
[0023]いくつかのインプリメンテーションでは、ＷＬＡＮは、ワイヤレスネットワークにアクセスするコンポーネントである様々なデバイスを含み得る。例えば、２つのタイプのデバイス、すなわち、アクセスポイント（「ＡＰ」）と（局、または「ＳＴＡ」とも称される）クライアントと、があることができる。一般的に、ＡＰは、ＷＬＡＮのためのハブ又は基地局としての役割を果たし、ＳＴＡは、ＷＬＡＮのユーザとしての役割を果たす。例えば、ＳＴＡは、ラップトップコンピュータ、携帯情報端末(ＰＤＡ)、モバイルフォン、等であることができる。いくつかのインプリメンテーションでは、ＳＴＡはまた、ＡＰとして使用されることができる。あるインプリメンテーションはまた、ピアツーピア通信を含み得、ここにおいて、通信は、ＡＰを経由することなく、２つのデバイス間において直接的に確立される。
【００２０】
[0024]ここでの教示は、様々な有線またはワイヤレス装置（例えば、ノード）に組み込まれることができる（例えば、その範囲内にインプリメントされるか、又はそれによって実行される）。いくつかの態様では、ここでの教示に従ってインプリメントされたワイヤレスノードは、アクセスポイント又はアクセス端末を備えることができる。アクセスポイント（「ＡＰ」）は、ノードＢ、無線ネットワークコントローラ（「ＲＮＣ」）、ｅＮｏｄｅＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、又はいくつかの他の専門用語として既知であることができ、これらとしてインプリメントされることができ、又はこれらを備えることができる。
【００２１】
[0025]局「ＳＴＡ」はまた、ユーザ端末、アクセス端末（「ＡＴ」）、加入者局、加入者ユニット、モバイル局、遠隔局、遠隔端末、ユーザエージェント、ユーザデバイス、ユーザ機器、又はいくつかの他の専門用語として既知であることができ、これらとしてインプリメントされることができ、又はこれらを備えることができる。いくつかのインプリメンテーションでは、アクセス端末は、セルラ電話機、コードレス電話機、セッション開始プロトコル（「ＳＩＰ」）フォン、ワイヤレスローカルループ（「ＷＬＬ」）局、携帯情報端末（「ＰＤＡ」）、ワイヤレス接続性能を有するハンドヘルドデバイス、又はワイヤレスモデムに接続された、いくつかの他の適切な処理デバイス、を備えることができる。したがって、ここで教示される１つ又は複数の態様は、フォン（例えば、セルラフォン又はスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽若しくはビデオデバイス、又は衛星無線）、ゲームデバイス若しくはシステム、グローバルポジショニングシステムデバイス、又はワイヤレス媒体を介して通信するように構成される任意の他の適切なデバイス、の中に組み込まれることができる。
【００２２】
[0026]図１は、本開示の態様が用いられることができるワイヤレス通信システム１００の例を図示する。ワイヤレス通信システム１００は、例えば、８０２．１１ｍｃ規格のような、ワイヤレス規格に準拠して動作することができる。ワイヤレス通信システム１００は、ＡＰ１０４を含むことができ、それは、ＳＴＡｓ１０６と通信する。
【００２３】
[0027]多様な処理及び方法が、ＡＰ１０４とＳＴＡｓ１０６との間のワイヤレス通信システム１００における送信のために使用されることができる。例えば、信号は、ＯＦＤＭＡ技法にしたがって、ＡＰ１０４とＳＴＡｓ１０６との間で送信され、及び受信されることができる。この場合、ワイヤレス通信システム１００は、ＯＦＤＭＡシステムと称されることができる。
【００２４】
[0028]ＡＰ１０４から１つ又は複数のＳＴＡｓ１０６ヘの送信を容易にする通信リンクは、ダウンリンク（ＤＬ）１０８と称されることができ、１つ又は複数のＳＴＡｓ１０６からＡＰ１０４への送信を容易にする通信リンクは、アップリンク（ＵＬ）１１０と称されることができる。代替として、ダウンリンク１０８は、順方向リンク又は順方向チャネルと称されることができ、アップリンク１１０は、逆方向リンク又は逆方向チャネルと称されることができる。
【００２５】
[0029]ＡＰ１０４は、基本サービスエリア（ＢＳＡ）１０２においてワイヤレス通信カバレッジを提供することができる。ＡＰ１０４は、ＡＰ１０４と関連付けられ、通信にＡＰ１０４を使用するＳＴＡｓ１０６とともに、基本サービスセット（ＢＳＳ）と称されることができる。ワイヤレス通信システム１００は、中央ＡＰ１０４を有さない場合があり、むしろＳＴＡｓ１０６間でのピアツーピアネットワークとして機能することができることに留意されたい。したがって、ここで説明されるＡＰ１０４の機能は、１つ又は複数のＳＴＡｓ１０６によって代替として実行されることができる。本開示のいくつかの態様では、ＡＰ１０４はまた、アロケーションシグナリングコントローラ１３５を有し得る。以下においてより詳細に説明されるように、そのようなコントローラは、最小の割当て数に帯域幅を割当てることと、（アップリンク又はダウンリンクのいずれかの）送信の際に割当てがアサインされ得る１つ又は複数のデバイスを識別することと、１つ又は複数のデバイスにその割当てをシグナリングして、これら１つ以上のデバイスに情報を送信することと、を実行するように構成され得る。
【００２６】
[0030]図２は、ワイヤレス通信システム１００内で用いられることができるワイヤレスデバイス２０２において利用されることができる様々なコンポーネントを図示する。ワイヤレスデバイス２０２は、ここで説明される様々な方法をインプリメントするように構成されることができるデバイスの例である。例えば、ワイヤレスデバイス２０２は、ＡＰ１０４、又はＳＴＡｓ１０６のうちの１つを備えることができる。
【００２７】
[0031]ワイヤレスデバイス２０２は、ワイヤレスデバイス２０２の動作を制御するプロセッサ２０４を含むことができる。プロセッサ２０４はまた、中央処理ユニット（ＣＰＵ）と称されることができる。メモリ２０６は、プロセッサ２０４に命令及びデータを提供し、それは、読取専用メモリ（ＲＯＭ）及びランダムアクセスメモリ（ＲＡＭ）の両方を含むことができる。メモリ２０６の一部はまた、不揮発性ランダムアクセスメモリ（ＮＶＲＡＭ）を含むことができる。プロセッサ２０４は概して、メモリ２０６内に記憶されたプログラム命令に基づいて論理および算術演算を実行する。メモリ２０６における命令は、ここで説明される方法をインプリメントすることを実行可能であることができる。
【００２８】
[0032]プロセッサ２０４は、１つ又は複数のプロセッサでインプリメントされた処理システムのコンポーネントであることができ、又はそれを備えることができる。１つ又は複数のプロセッサは、汎用マイクロプロセッサ、マイクロコントローラ、デジタル信号プロセッサ（ＤＳＰｓ）、フィールドプログラマブルゲートアレイ（ＦＰＧＡｓ）、プログラマブル論理デバイス（ＰＬＤｓ）、コントローラ、ステートマシン、ゲート論理、離散ハードウェアコンポーネント、専用ハードウェア有限ステートマシン、又は情報の他の操作若しくは計算を実行することができる任意の他の適切なエンティティ、の任意の組み合わせでインプリメントされることができる。
【００２９】
[0033]処理システムはまた、ソフトウェアを記憶するための機械可読媒体を含むことができる。ソフトウェアは、ソフトウェア、ファームウェア、ミドルウェア、マイクロコード、ハードウェア記載言語、又はその他のもの、と称されるか否かにかかわらず、命令の任意のタイプを意味するように広く解釈されるべきである。命令は、コード（例えば、ソースコードフォーマットで、２進コードフォーマット、実行可能コードフォーマット、又はコードの任意の他の適切なフォーマット）を含むことができる。命令は、１つ又は複数のプロセッサによって実行される場合、ここで説明される様々な機能を実行することを処理システムにさせる。
【００３０】
[0034]ワイヤレスデバイス２０２はまた、ワイヤレスデバイス２０２とリモートロケーションとの間のデータの送信及び受信を可能にするための受信機２１２及び送信機２１０を含むことができるハウジング２０８を含むことができる。送信機２１０及び受信機２１２は、トランシーバ２１４に組み入れられることができる。アンテナ２１６は、ハウジング２０８に取り付けられることができ、トランシーバ２１４に電気的に結合されることができる。ワイヤレスデバイス２０２はまた、（図示されない）複数の送信機、複数の受信機、複数のトランシーバ、及び／又は複数のアンテナを含むことができ、ここにおいて、これらは、例えば、ＭＩＭＯ通信の際に利用されることができる。
【００３１】
[0035]ワイヤレスデバイス２０２はまた、トランシーバ２１４によって受信された信号のレベルを検出及び定量化する試みにおいて使用されることができる信号検出器２１８を含むことができる。信号検出器２１８は、総エネルギー、シンボルあたりのサブキャリアごとのエネルギー、電力スペクトル密度、及び他の信号、のような信号を検出することができる。ワイヤレスデバイス２０２はまた、信号を処理する際の使用のためにデジタル信号プロセッサ（ＤＳＰ）を含むことができる。ＤＳＰ２２０は、送信用のデータユニットを生成するように構成されることができる。いくつかの態様では、データユニットは、物理レイヤデータユニット（ＰＰＤＵ）を備えることができる。いくつかの態様では、ＰＰＤＵは、パケットと称される。
【００３２】
[0036]ワイヤレスデバイス２０２は、いくつかの態様において、ユーザインタフェース２２２をさらに備えることができる。ユーザインタフェース２２２は、キーパッド、マイクロフォン、スピーカ、及び／又はディスプレイを備えることができる。ユーザインタフェース２２２は、ワイヤレスデバイス２０２のユーザに情報を伝える、及び／又はユーザからインプットを受信する、任意のエレメント又はコンポーネントを含むことができる。
【００３３】
[0037]ワイヤレスデバイス２０２の様々なコンポーネントは、バスシステム２２６によって結合されることができる。バスシステム２２６は、例えば、電力バス、制御信号バス、及びデータバスに加えたステータス信号バスと同様に、データバスを含むことができる。それらの当業者は、ワイヤレスデバイス２０２のコンポーネントが、いくつかの他のメカニズムを使用して互いに結合される、受け取る、又はインプットを提供することができることを理解するであろう。
【００３４】
[0038]多数の別個のコンポーネントが図２に図示されるが、それらの当業者は、１つ又は複数のコンポーネントは、結合される、又は共通にインプリメントされることができるということを認識するであろう。例えば、プロセッサ２０４は、プロセッサ２０４に関して上述される機能性をインプリメントするためだけでなく、信号検出器２１８及び／又はＤＳＰ２２０に関して上述される機能性をインプリメントするためにも使用されることができる。なお、図２に図示されるコンポーネントの各々は、複数の別個のエレメントを使用してインプリメントされることができる。  
Ｗｉ−Ｆｉオートフォーカス
【００３５】
[0039]プロトコルのＩＥＥＥ ８０２．１１ファミリに基づく、Ｗｉ−Ｆｉのあるバージョンは、ネットワーク上の２つのデバイス間の距離を推定する能力を含む。例えば、ＩＥＥＥ ８０２．１１ｍｃは、良好なタイミング測定のためのネットワーク管理プロトコルを定義し、それは、ネットワーク上の２つのデバイスが互いに通信し得るように、それらのデバイス間の距離の正確な推定値を取得するために使用されることができる。これらの測定値の正確さは、通信のチャネル帯域幅に大部分において依存する。あるＷｉ−Ｆｉチップセットでは、８０ＭＨｚ及び１６０ＭＨｚ帯域幅が、通信のために使用され得る。これらの帯域幅では、距離は、おおよそ１メートルの正確さで推定され得る。距離を推定するために使用されることに加えて、あるＭＩＭＯ（複数入力、複数出力）Ｗｉ−Ｆｉ技法は、レンジ測定値と同様に、到来角度（ＡｏＡ）推定値を提供するために使用されることによって、し得る。
【００３６】
[0040]当該情報は、デジタルカメラにおけるオートフォーカス性能を提供するために使用され得る。例えば、デジタルカメラは、Ｗｉ−Ｆｉ、例えば、ワイヤレスデバイス２０２が搭載され得る。Ｗｉ−Ｆｉが搭載されたデジタルカメラは、Ｗｉ−Ｆｉプロトコル、例えば、ＩＥＥＥ ８０２．１１ｍｃを使用するように構成され得る。そのようなプロトコルを使用すると、デジタルカメラは、他のワイヤレスデバイスを識別し、他のワイヤレスデバイスと接続することができ得る。これらの他のワイヤレスデバイスは、例えば、モバイルフォン、スマートウォッチ、及び他のポータブルデバイスを含み得る。
【００３７】
[0041]したがって、デジタルカメラは、Ｗｉ−Ｆｉプロトコル、例えば、ピアツーピアＷｉ−Ｆｉプロトコルを使用して、他のワイヤレスデバイスと接続し、他のワイヤレスデビスを識別するように構成され得る。デジタルカメラは、ある他のデバイス、例えば、デジタルカメラの所有者の友人及びファミリによって所有されるデバイス、に気づき得、それは、Ｗ−Ｆｉを使用してデジタルカメラに接続するように構成され得る。当該接続に基づき、デジタルカメラは、もう１つのデバイスまでの距離（及び方向さえも）を決定するように構成され得る。当該距離は、もう１つのデバイスが位置する１つ又は複数の距離にフォーカスするための、デジタルカメラのオートフォーカス性能を提供するために使用され得る。例えば、当該距離は、例えば、送信に含まれる時間（例えば、タイムスタンプ）を当該送信の受信の時間と比較することによって決定され得る。
【００３８】
[0042]オートフォーカスのためのＷｉ−Ｆｉレンジングを使用することは、従来の技法に対して多くの利点を有し得る。能動的及び受動的オートフォーカス技法のどちらにもある１つの問題は、混雑した場面において正しい被写体にフォーカスすることが困難であるということであり得る。例えば、親は、子供のサッカーの試合にデジタルカメラを持って行き得る。当該サッカーの試合の際、フィールド上には大量のプレイヤーが存在し得、彼らは、互いに異なる距離に位置し得る。しかしながら、親は、試合をプレイしている他の子供たちよりむしろ、彼らの子供に対してカメラをフォーカスすることを望み得る。動く被写体を伴う慌ただしい場面では、１人の特定の子供に対してフォーカスするためにオートフォーカスを使用することは非常に困難となり得る。子供は、Ｗｉ−Ｆｉが搭載された時計、フォン、通信デバイス、品物、又は服を着用することができる。Ｗｉ−Ｆｉが搭載されたカメラは、子供のＷｉ−Ｆｉデバイスに接続することと、デバイスが子供のデバイスであると認識することと、その子供のデバイスとカメラとの間の距離を決定することとを行うように構成され得る。カメラはそれから、子供のデバイスの距離における被写体に対してフォーカスするためにオートフォーカスを調整するように構成され得る。したがって、当該技法は、混雑した場面にもかかわらず、オートフォーカスが、特定の人物に対してフォーカスするために使用されることを可能にし得る。
【００３９】
[0043]図３Ａは、カメラのためのオートフォーカス性能を提供するためのＷｉ−Ｆｉを使用する方法の図示である。まず、対象は、Ｗｉ−Ｆｉレンジングと互換性があり得るスマートフォン又はウェアラブルデバイス３２０を有し得る。例えば、対象は、ＩＥＥＥ ８０２．１１ｍｃ、又はもう１つの類似性能を有する（similarly-capable）Ｗｉ−Ｆｉプロトコル、と互換性を有するデバイス３２０を有し得る。
【００４０】
[0044]撮影者は、同様に、例えば、ＩＥＥＥ ８０２．１１ｍｃ、又はもう１つの類似性能を有するＷｉ−Ｆｉプロトコル、と互換性があるＷｉ−Ｆｉレンジングをも使用することができるスマートフォン又はＤＳＬＲカメラ３１０を有し得る。ピア発見処理は、カメラ３１０及び対象のデバイス３２０がＷｉ−Ｆｉを介して互いを識別することを可能にするために使用され得る。そのようなプロトコルは、例えば、デバイスがピアツーピアＷｉ−Ｆｉ技法を使用して互いを発見し、及び通信することを可能にし得る。例えば、図示されるように、対象のデバイス３２０は、カメラ３１０に１つ又は複数のメッセージ３３０を送信し得、これらのメッセージ３３０は、カメラ３１０が、Ｗｉ−Ｆｉレンジングを使用してカメラ３１０と対象のデバイス３２０との間の距離を決定することを可能にし得る。
【００４１】
[0045]ひとたびカメラ３１０及び対象のデバイス３２０がピアツーピアＷｉ−Ｆｉプロトコルを使用して互いを識別し、接続すると、Ｗｉ−Ｆｉレンジングは、カメラ３１０と対象のデバイス３２０との間の距離を入手するために使用され得る。上記で示されるように、当該距離の精度は、ネットワーク内で使用可能な帯域幅に、少なくとも部分的に、依存し得る。例えば、いくつかの態様では、カメラと対象との間の距離は、最大約１メートルまでの精度で決定され得る。
【００４２】
[0046]カメラ３１０と対象のデバイス３２０との間の距離が決定された後、カメラ３１０は、当該距離に基づいてオートフォーカスされ得る。いくつかの態様では、カメラ３１０は、２つ又はそれより多い対象に気付き得る。したがって、カメラ３１０は、１つより多い被写体に対してフォーカスするように構成され得る。いくつかの態様では、カメラ３１０はまた、１つ又は複数の被写体の各々への方向を決定し得る。カメラ３１０はまた、カメラ３１０が向けられる方向を決定するように構成され得る。例えば、カメラ３１０は、特定の近くのデバイスがカメラ３１０の視野内にあるかどうかを決定するように構成され得る。このため、デバイスがカメラ３１０の視野内に無い場合、カメラ３１０は、その被写体に基づいてフォーカスを調整しない場合がある。いくつかの態様では、Ｗｉ−Ｆｉベースのオートフォーカスは、同様にカメラ３１０をフォーカスするための他の方法と併せて使用され得る。例えば、当該オートフォーカスは、例えば、奥行情報を決定するための２つのイメージングセンサ、又は不明瞭さ（blurriness）を検出して最小化する処理、を使用するもう１つの方法を使用して調整され得る。カメラ３１０のフォーカスはまた、オートフォーカスが被写体に対してフォーカスした後、手動で調整され得る。
【００４３】
[0047]オートフォーカスが画像内の１つ又は複数の被写体に対してフォーカスされた後、カメラ３１０は、カメラ撮影又はビデオを撮るために使用され得る。オートフォーカスの当該方法の１つの利点は、被写体が他の被写体によって部分的に又は一時的に完全に見えなくなったか否かに依らず、その距離に基づいて被写体を継続的にフォーカスし続ける能力があり得ることである。例えば、親は、子供のサッカーの試合を記録することを望み得、他のプレイヤー達が一時的に子供の前を通り過ぎる際でさえも、子供がフォーカスされたままであることを望み得る。そのような慌ただしい場面は、慌ただしい場面において適切なプレイヤーに対してフォーカスし続けるための、オートフォーカスの他の方法にとっては非常に困難であり得る。
【００４４】
[0048]当該アプローチは、同様に他の利点を有し得る。例えば、Ｗｉ−Ｆｉは、スマートフォン及び他のウェアラブルデバイスにわたって広く利用可能である。したがって、当該アプローチは、オートフォーカス機能性を提供するためにいかなる余分な機器も要さない場合がある。なお、カメラは、予め構成された情報、例えば、身長、年齢、肌の色、好み等の、対象についての他の情報、を使用し得る。当該情報はまた、撮影技能（shooting experience）及び結果を改善するための写真撮影処理に組込まれ得る。Ｗｉ−Ｆｉアプローチはまた、他のアプローチよりも効率的に複数の対象のための距離を入手し得る。例えば、ファミリ内で、複数の子供は、カメラに通信するウェアラブルデバイス（例えば、Ｗｉ−Ｆｉ及びカメラ機能性を伴うスマートフォン）を有し得る。カメラはそれから、関心のある対象についてのより良い知識を有し得、したがって写真を撮影し得る。Ｗｉ−Ｆｉレンジングはまた、継続的な撮影が望まれる状況、例えば、ビデオを撮影する場合、及び混雑した場所において有利となり得る。例えば、子供のサッカーの試合において、子供は、他のプレイヤーによって頻繁に遮蔽され得る。他のオートフォーカス方法を使用すると、カメラは、そのフォーカスを、他のプレイヤーに対してフォーカスするように調整し得、望ましい対象に対するフォーカスを維持できなくなり得る。しかしながら、Ｗｉ−Ｆｉ技術では、そのような状況でさえも望ましい対象に対してフォーカスし続けることが可能となり得る。
【００４５】
[0049]いくつかの態様では、Ｗｉ−Ｆｉレンジングを使用すると対処され得る困難もあり得る。例えば、様々なデバイスのＷｉ−Ｆｉもまた、オンし得る。したがって、カメラは、近くにいるデバイスがカメラの視野内にない場合においてさえも、それらのデバイスに気づき得る。一般的に、レンジ測定値は、カメラからの対象への角度を決定するために、角度又は到来測定値が組み合され得る。加えて、人は、他の読出し値、例えば、カメラと可能性のある対象との間の相対的なベクトルロケーションをさらに取得するための双方のデバイスにおけるＧＰＳ情報、を伴ってＷｉ−Ｆｉベースのレンジング及び到来角度（ＡｏＡ）測定値を使用し得る。カメラは、当該情報に少なくとも部分的に基づいて、可能性のある対象がカメラの視野内にあるかどうか（及びこのため、当該被写体に基づいてフォーカスを調整すること）を決定し得る。なお、Ｗｉ−Ｆｉアプローチはまた、現在の距離測定値が妥当か否かを自動的に識別するために顔認識と連携するように構成され得る。例えば、これは、特定のデバイスに関連付けられた対象がフレーム内にあるか否かをデバイスが識別することを補助し得る。なお、ユーザはまた、Ｗｉ−Ｆｉレンジングが望まれない場合、それを止めることができ得る。
【００４６】
[0050]いくつかの態様では、異なるＷｉ−Ｆｉ使用可能デバイスを持つ複数の人物がカメラの有効範囲内にいる場合、それはまた、ユーザにとって紛らわしくなり得る。したがって、友人又はファミリに属する他のデバイスにカメラが気付くように構成するために、事前設定（preconfiguration）が必要となり得る。当該設定又は登録は、写真撮影の際、望ましい対象を識別するように補助し得る。カメラは、将来に既知の個人を識別することができるようにするために、他のデバイスのどれがそれらの個人の下にあるかを覚えておくように構成され得る。なお、Ｗｉ−Ｆｉオートフォーカスは、写真の被写体がファミリのメンバ又は親しい友人のいずれでもなく、このため、Ｗｉ−Ｆｉレンジングが適当でない場合がある際、ユーザによって停止され又は無効とされ得る。例えば、Ｗｉ−Ｆｉレンジングは、ユーザが多数の他のデバイスの近くに位置し得るが、近くの潜在的な対象以外のものの画像を撮っている場合のような、スポーティングイベント又は他の状況では、望まれない場合がある。
【００４７】
[0051]図３Ｂは、本開示のいくつかの態様にしたがう、互いに通信３３０するカメラ３１０及び対象のデバイス３２０の図示３４０である。カメラ３１０は、図示されるコンポーネントに加えて多くのコンポーネントを含む、多数の異なるコンポーネントを含み得る。例えば、カメラ３１０は、モバイルフォン又はデジタルＳＬＲカメラ内にあると予想される、カメラコンポーネント、処理コンポーネント、及び他のコンポーネントを含み得る。カメラ３１０はまた、少なくとも、送信機３５０及び受信機３５２を含み得、それらは、トランシーバ３５４に任意に組み入れられ得る。送信機３５０及び受信機３５２、及び／又はトランシーバ３５４は、アンテナ３５６に動作可能に接続され得る。したがって、カメラ３１０は、アンテナ３５６を使用してメッセージを送信及び受信するように構成され得る。これらのメッセージは、例えば、１つ又は複数のＩＥＥＥ ８０２．１１ファミリ規格を使用する、Ｗｉ−Ｆｉ通信を含み得る。
【００４８】
[0052]同様に、対象は、デバイス３２０を着用し得る。当該デバイス３２０は、例えば、モバイルフォン、Ｗｉ−Ｆｉが搭載されたウォッチド（watched）、又はもう１つのＷｉ−Ｆｉデバイスを含み得る。当該デバイス３２０は、デバイス３２０及び対象がカメラ３１０から同様の距離及び方向にあり得るように、対象である人物上にあり得る。デバイス３２０は、少なくとも、送信機３６０及び受信機３６２を含み得、それらは、トランシーバ３６４に任意に組み入れられ得る。送信機３６０及び受信機３６２、及び／又はトランシーバ３６４は、アンテナ３６６に動作可能に接続され得る。したがって、デバイス３２０は、アンテナ３６６を使用してメッセージを送信及び受信するように構成され得る。これらのメッセージは、例えば、１つ又は複数のＩＥＥＥ ８０２．１１ファミリ規格を使用する、Ｗｉ−Ｆｉ通信を含み得る。デバイス３２０はまた、デバイスのタイプが何であるかに依存して、多数の他のコンポーネントを含み得る。例えば、デバイス３２０は、プロセッサ、スクリーン、及びメモリのようなコンポーネントをさらに含み得る。例えば、デバイス３２０は、ワイヤレスデバイス２０２内に含まれるように説明されるコンポーネントを含み得る。
【００４９】
[0053]図示３４０に図示されるように、カメラ３１０及びデバイス３２０は、互いに通信３３０し得る。これらの通信は、ＩＥＥＥ ８０２．１１ｍｃのような、ＩＥＥＥ ８０２．１１ファミリプロトコルを使用する通信であり得る。これらの通信は、例えば、ＡＰ１０４（図１）を通過する送信よりむしろ、カメラ３１０からデバイス３２０に直接的に通信するピアツーピア送信であり得、又はその逆でもよい。これらの通信３３０に基づき、カメラ３１０は、それ自身とデバイス３２０との間の距離を決定するように構成され得る。例えば、ある通信３３０は、タイムスタンプのような、通信３３０が到来するまでにどれだけかかるかを決定するために使用される情報を含み得、それは、デバイス３２０とカメラ３１０との間の距離を導き出すために使用され得る。通信３３０はまた、信号強度のような情報を含み得る。例えば、距離に対する信号強度の既知の散逸率とともに、受信された信号強度に対する（送信された時点における）既知の送信信号強度に基づいて、デバイス３２０とカメラ３１０との間の距離を推定することが可能であり得る。このため、信号強度情報は、カメラ３１０とデバイス３２０との間の通信３３０の距離を推測する際の使用にとって有益であり得る。カメラ３１０とデバイス３２０との間の距離が決定された後、上述の技法を使用して、又は他のＷｉ−Ｆｉベースの技法を使用して、カメラ３１０のフォーカスはそれから、調整され得る。
【００５０】
[0054]図４は、本開示のある態様にしたがう、ワイヤレスレンジングを使用して画像をキャプチャする例示的な方法４００の図示である。いくつかの態様では、当該方法は、デジタルカメラ及びワイヤレス通信性能の両方を含むデバイスによってなされ得る。例えば、これは、ワイヤレス通信機能性を伴う、例えば、デジタル一眼レフカメラのような、デジタルカメラ又はスマートフォン、を含み得る。
【００５１】
[0055]ブロック４１０において、方法は、ワイヤレスネットワークと通信をするためにカメラを使用することを含む。例えば、カメラは、ＩＥＥＥ ８０２．１１規格、例えば、ＩＥＥＥ ８０２．１１ｍｃ、を使用するように構成され得る。いくつかの態様では、ワイヤレスデバイスは、もう１つのＩＥＥＥ ８０２．１１準拠のデバイスを含み得、画像のための潜在的な対象である人物上に発見され得る。例えば、ワイヤレスデバイスは、スマートフォン又はウェアラブルデバイス、例えば、時計、であり得る。ワイヤレスデバイスは、カメラの所有者として知られる個人によって搬送され、又は所有され得る。例えば、カメラは、カメラの所有者として知られる個人によって搬送される多数のワイヤレスデバイスを識別し、認識するように構成され得る。カメラは、例えば、ファミリ内の子供たちによって着用されるワイヤレスデバイスを知り得る。したがって、カメラは、カメラの近傍における既知のワイヤレスデバイスをスキャンすることと、それらのワイヤレスデバイスを識別することと、識別され、認識されたデバイスと通信することと、を行うように構成され得る。いくつかの態様では、ワイヤレスデバイスと通信する手段は、送信機、受信機、トランシーバ、及び／又はプロセッサを含み得る。いくつかの態様では、ワイヤレスネットワークは、グローバルポジショニングシステム（ＧＰＳ）ネットワークであり得る。したがって、ワイヤレスデバイスは、ＧＰＳ使用可能なデバイスであり得、カメラは、同様にＧＰＳ使用可能なデバイスであり得る。したがって、カメラは、カメラのＧＰＳロケーションと、ワイヤレスデバイスのＧＰＳロケーションとの間の距離を決定するように構成され得る。
【００５２】
[0056]ブロック４２０において、方法は、ワイヤレスネットワークを使用してワイヤレスデバイスとカメラとの間の距離、及び任意に方向、を決定することを含む。例えば、ＩＥＥＥ ８０２．１１ｍｃ規格は、もう１つのワイヤレス通信デバイスへの距離及び／又は方向を決定するための能力を含む、多数の機能を含み得る。このため、そのような技法は、例えば、フォトグラフの可能性のある対象、例えばファミリメンバ又は友人、によって搬送されるデバイスであるもう１つのワイヤレスデバイスと、カメラとの間の距離を決定するために使用され得る。いくつかの態様では、距離及び方向は、対象がカメラの視野内にあり得るかどうかを決定するために使用され得る。例えば、対象の方向は、カメラが潜在的な対象に向けられ得るかどうかを決定するため、カメラが向いている方向と比較され得る。いくつかの態様では、距離及び／又は方向を決定するための手段は、送信機、受信機、トランシーバ、及び／又はプロセッサを含み得る。
【００５３】
[0057]例えば、ワイヤレスデバイスは、ＧＰＳを介して自身のロケーションを決定するように構成され得る。ワイヤレスデバイスは、カメラと当該ロケーションを通信するようにさらに構成され得る。例えば、カメラ及びワイヤレスデバイスは、ＩＥＥＥ ８０２．１１規格を使用して、又は（４Ｇセルラネットワークのような）セルラネットワーク（cellular network）若しくはブルートゥース（登録商標）のようなもう１つのワイヤレス通信ネットワークを使用して、互いに通信するように構成され得る。当該ワイヤレス通信ネットワークを使用すると、ワイヤレスデバイスは、ワイヤレスデバイスのロケーションをカメラに通知し得る。例えば、ワイヤレスデバイスは、自身のロケーションを正確に決定するために自身のＧＰＳシステムを使用することができ得る。当該ロケーションは、デバイスの緯度及び経度を特定することによるように、あるパラメータに関して規定され得る。当該ロケーションは、高精度で決定され得る。ワイヤレスデバイスは、自動的に若しくは一定の間隔のいずれかで、カメラにそのロケーションを送信すること、又はカメラがワイヤレスデバイスのロケーションを要求する特定の時間においてカメラにそのロケーションを送信することを行うように構成され得る。
【００５４】
[0058]同様に、カメラはまた、ＧＰＳシステムを有し得、ＧＰＳシステムを使用して高精度に自身のロケーションを決定するように構成され得る。カメラは、１つ又は複数のワイヤレスデバイスからＧＰＳロケーションを受信するようにさらに構成され得る。これらのＧＰＳロケーションは、ＩＥＥＥ ８０２．１１ベースの接続、セルラ接続、又はブルートゥースを含む、ワイヤレスデバイスへの接続の任意のタイプにわたって受信され得る。カメラは、ワイヤレスデバイスからＧＰＳロケーションを要求すること、又はワイヤレスデバイスから周期的に送信されるロケーションを受信すること、を行うように構成され得る。いくつかの態様では、カメラは、カメラがワイヤレスデバイスの近くにあり、カメラが使用中であるような場合に、ワイヤレスデバイスがある時間の周期でカメラにそのロケーションを周期的に送信することを要求するように構成され得る。
【００５５】
[0059]カメラはそれから、ワイヤレスデバイスとカメラとの間の距離を決定するために、自身のＧＰＳロケーションを決定することと、ワイヤレスデバイス及びカメラのＧＰＳロケーションを比較することとを行うように構成され得る。いくつかの態様では、これらのＧＰＳロケーションはまた、カメラとワイヤレスデバイスとの間の方向を決定するために使用され得る。ＧＰＳロケーションを使用する他の方法はまた、可能であり得る。例えば、ＧＰＳロケーションは、距離決定を改良するためのように、距離を決定するためのＷｉ−Ｆｉベースの技法と併せて使用され得る。
【００５６】
[0060]ブロック４３０において、方法は、決定された距離に基づいてカメラのフォーカスを調整することを含む。例えば、決定された距離は、数メートルの距離であり得る。当該距離は、１メートル程度で精密であり得る。当該精度は、ワイヤレス通信の帯域幅、及び距離を決定するために使用される技術に基づいて、良いほうにも悪いほうにも、変化し得る。例えば、より多くの帯域幅を使用可能な場合、距離決定の精度は、向上し得る。いくつかの態様では、フォーカスを調整することは、所与のデバイスがカメラの視野内にあるかどうかを決定することを含み得る。例えば、デバイスへの距離及び方向が決定され得、これに基づき、カメラは、デバイスがカメラの視野内にあるか否かを決定し得る。いくつかの態様では、複数のデバイスがカメラの近くにあり得、これが各デバイスのために繰り返され得る。いくつかの態様では、カメラのフォーカスを調整することは、カメラからある距離だけ離れた被写体をフォーカスに至らせるために、レンズ及びカメラ内の他の設定を調整することを含み得る。カメラのフォーカスを調整するための手段は、プロセッサを含み得る。
【００５７】
[0061]ブロック４４０において、方法は、カメラの調整されたフォーカスを使用して画像をキャプチャすることを含む。例えば、フォーカスは、上述の、Ｗｉ−Ｆｉレンジングに基づき、１つ又は複数の対象に対してフォーカスするために調整され得る。したがって、カメラは、当該調整されたフォーカスを使用して画像をキャプチャするように構成され得る。いくつかの態様では、画像をキャプチャすることは、例えば、ビデオ内における、複数の画像をキャプチャすること含み得る。本開示のある態様は、ビデオをキャプチャすること、及びビデオの対象がフォーカスし続けることを可能にすることに資し得る。ある態様では、ビデオをキャプチャする場合、距離は、画像の対象に対するフォーカスを維持するために、ビデオ全体にわたって決定され得る。いくつかの態様では、画像をキャプチャするための手段、及びビデオをキャプチャするための手段は、プロセッサ及び／又はカメラを含み得る。
【００５８】
[0062]いくつかの態様では、方法は、ワイヤレス通信ネットワークを使用して、カメラからワイヤレスデバイスへの方向を決定することを含み得る。方向を決定するための手段は、プロセッサを含み得る。いくつかの態様では、方法はまた、決定された方向に少なくとも基づいて、ワイヤレスデバイスがカメラの視野内にあるかどうかを決定することを含み得る。いくつかの態様では、ワイヤレスデバイスがカメラの視野内にあるかどうかを決定するための手段は、プロセッサを含み得る。
【００５９】
[0063]当業者は、情報及び信号は、様々な異なる技術及び技法のいずれを使用しても表されることができることを理解するであろう。例えば、上記の説明の全体にわたって参照されることができる、データ、命令、コマンド、情報、信号、ビット、シンボル、及びチップは、電圧、電流、電磁波、磁場若しくは磁粒子、光場若しくは光学粒子、又はそれら任意の組み合わせによって表されることができる。
【００６０】
[0064]本開示で説明されるインプリメンテーションへの様々な変更は、当業者にとって容易に明らかであることができ、及び、ここで定義される一般的な原理は、本開示の精神又は範囲から逸脱することなく他のインプリメンテーションに適用されることができる。したがって、開示は、ここに示されるインプリメンテーションに限定されるように意図されず、ここに開示される新規な特徴、原理、及び特許請求の範囲と一致する最も広い範囲を与えられることとなる。「例示的」という用語は、ここでは、「例、事例、又は図示としての役割を果たす」という排他的な意味で使用される。「例示的」としてここで説明されるいずれのインプリメンテーションも、他のインプリメンテーションと比較して有利である、又は好ましいとして、必ずしも解釈されない。
【００６１】
[0065]別個のインプリメンテーションに照らして本明細書で説明される、ある特徴もまた、単一のインプリメンテーションと組み合わせてインプリメントされることができる。反対に、単一のインプリメンテーションに照らして説明される様々な特徴は、また、任意の適切なサブコンビネーションで、又は複数のインプリメンテーションで別個に、インプリメントされることができる。さらに、特徴は、ある組み合わせで作用するように上述され、及びそのように最初に特許請求さえもされ得るが、いくつかの場合では、特許請求される組み合わせからの１つ又は複数の特徴は、組合せから削除されることができ、特許請求される組み合わせは、サブコンビネーションのバリエーションに向けられることができる。
【００６２】
[0066]ここで使用される場合、項目のリスト「のうちの少なくとも１つ」というフレーズは、単一のメンバを含むそれらの項目の任意の組み合わせを参照する。例として、「ａ、ｂ、又はｃのうちの少なくとも１つ」は、ａ、ｂ、ｃ、ａ−ｂ、ａ−ｃ、ｂ−ｃ、及びａ−ｂ−ｃをカバーすることを意図する。
【００６３】
[0067]上述される方法の様々な動作は、動作を実行する性能がある任意の適切な手段、例えば、様々なハードウェア及び／又はソフトウェアのコンポーネント（１つ又は複数の）、回路、及び／又はモジュール（１つ又は複数の）、によって実行されることができる。一般的に、図に図示された任意の動作は、動作を実行する性能がある対応する機能的手段によって実行されることができる。
【００６４】
[0068]本開示に関連して説明される、様々な実例となる論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）若しくは他のプログラマブル論理デバイス（ＰＬＤ）、ディスクリートゲート若しくはトランジスタ論理、ディスクリートハードウェアコンポーネント、又はここで説明される機能を実行するために設計されるそれらの任意の組み合わせを用いて、実行され又はインプリメントされることができる。汎用プロセッサは、マイクロプロセッサであることができるが、代わりに、プロセッサは、任意の市販のプロセッサ、コントローラ、マイクロコントローラ、またはステートマシンであることができる。プロセッサはまた、例えば、ＤＳＰとマイクロプロセッサとの組み合わせ、複数のマイクロプロセッサ、ＤＳＰコアと併せた１つ若しくは複数のマイクロプロセッサ、又は任意の他のそのような構成である、コンピューティングデバイスの組み合わせとしてインプリメントされることができる。
【００６５】
[0069]１つ又は複数の態様では、説明される機能は、ハードウェア、ソフトウェア、ファームウェア、又はそれらの任意の組み合わせでインプリメントされることができる。ソフトウェアでインプリメントされる場合、機能は、コンピュータ可読媒体における１つ又は複数の命令又はコードとして、送信され又は記憶されることができる。コンピュータ可読媒体は、１つの場所からもう１つの場所へのコンピュータプログラムの転送を容易にする任意の媒体を含む通信媒体及びコンピュータ記憶媒体の両方を含む。記憶媒体は、コンピュータによってアクセスされることができる任意の利用可能な媒体であることができる。限定ではなく例として、そのようなコンピュータ可読媒体は、ＲＡＭ、ＲＯＭ、ＥＥＰＲＯＭ（登録商標）、ＣＤ−ＲＯＭ若しくは他の光ディスク記憶装置、磁気ディスク記憶装置若しくは他の磁気記憶デバイス、又はデータ構造若しくは命令の形で所望のプログラムコードを記憶若しくは搬送するために使用されることができ、コンピュータによってアクセスされることができる任意の他の媒体、を備えることができる。また、任意の接続は、適切にはコンピュータ可読媒体と呼ばれる。例えば、ソフトウェアが、同軸ケーブル、光ファイバケーブル、ツイストペア、デジタル加入者回線（ＤＳＬ）、又は、例えば、赤外線、無線、及びマイクロ波のようなワイヤレス技術を使用して、ウェブサイト、サーバ、又は他の遠隔ソースから送信される場合、同軸ケーブル、光ファイバケーブル、ツイストペア、ＤＳＬ、又は、例えば、赤外線、無線、及びマイクロ波のようなワイヤレス技術は、媒体の定義中に含まれる。ディスク（disk）およびディスク（disc）は、ここで使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。したがって、いくつかの態様では、コンピュータ可読媒体は、非一時的なコンピュータ可読媒体（例えば、有形媒体）を備え得る。加えて、いくつかの態様において、コンピュータ可読媒体は、一時的コンピュータ可読媒体（例えば、信号）を備え得る。上記の組み合わせはまた、コンピュータ可読媒体の範囲内に含まれるべきである。
【００６６】
[0070]ここに開示された方法は、説明される方法を達成するための１つ又は複数のステップ又は行為を備える。方法のステップ及び／又は行為は、特許請求の範囲から逸脱することなく、互いにやりとりされることができる。言い換えれば、ステップ又は行為の特定の順序が特定されていない限り、特定のステップ及び／又は行為の順序及び／又は使用は、特許請求の範囲から逸脱することなく修正されることができる。
【００６７】
[0071]なお、ここで説明される技法及び方法を実行するためのモジュール及び／又は他の適切な手段が、ダウンロードされることができること、及び／又は、そうでなければ、ユーザ端末及び／又は基地局によって、適用可能に取得されることができることを諒解されたい。例えば、そのようなデバイスは、ここで説明される方法を実行するための手段の転送を容易にするためにサーバに結合されることができる。代替として、ここに説明される様々な方法は、デバイスに記憶手段を提供又は結合する際にユーザ端末及び／又は基地局が様々な方法を取得することができるように、記憶手段（例えば、ＲＡＭ、ＲＯＭ、例えばコンパクトディスク（ＣＤ）又はフロッピーディスクのような物理記憶媒体、等）を介して提供されることができる。さらに、ここで説明される技法及び方法をデバイスに提供するための任意の他の適切な技法が、利用されることができる。
【００６８】
[0072]前述の内容が本開示の態様に向けられる一方、本開示の他の及び更なる態様は、その基本的な範囲から逸脱することなく考案されることができ、その範囲は、次の特許請求の範囲によって決定される。
以下に本願の出願当初の特許請求の範囲に記載された発明を付記する。
［Ｃ１］
自動的なフォーカスを使用して画像をキャプチャする方法であって、
カメラを使用して、ワイヤレスネットワークと通信することと、
前記ワイヤレスネットワークを使用して前記カメラとワイヤレスデバイスとの間の距離を決定することと、
前記決定された距離に基づいて前記カメラのフォーカスを調整することと、
前記カメラの前記調整されたフォーカスを使用して画像をキャプチャすることと
を備える、方法。
［Ｃ２］
前記カメラと前記ワイヤレスデバイスとの間の距離は、前記カメラのグローバルポジショニングシステムロケーションと前記ワイヤレスデバイスのグローバルポジショニングシステムロケーションとに、少なくとも部分的に、基づいて決定される、
Ｃ１に記載の方法。
［Ｃ３］
前記カメラを使用して、ワイヤレスネットワークと通信することは、前記カメラを使用して、ワイヤレスネットワークを通じて前記ワイヤレスデバイスのグローバルポジショニングシステムロケーションを受信することを備える、
Ｃ２に記載の方法。
［Ｃ４］
前記ワイヤレスネットワークは、ＩＥＥＥ ８０２．１１ベースのネットワーク、セルラネットワーク、又はブルートゥースネットワークのうちの１つである、
Ｃ４に記載の方法。
［Ｃ５］
前記カメラを使用して、前記ワイヤレスネットワークを通じて前記ワイヤレスデバイスからのグローバルポジショニングシステムロケーションを要求することをさらに備える、
Ｃ２に記載の方法。
［Ｃ６］
前記ワイヤレスネットワークは、１つ又は複数のＩＥＥＥ ８０２．１１規格下で動作するネットワークを備える、
Ｃ１に記載の方法。
［Ｃ７］
前記ワイヤレスネットワークは、ピアツーピアワイヤレスネットワークを備え、ワイヤレスネットワークと通信することは、前記ピアツーピアワイヤレスネットワークを介して前記ワイヤレスデバイスと通信することを備える、
Ｃ１に記載の方法。
［Ｃ８］
前記ワイヤレスデバイスは、前記画像の対象である人物によって着用されるモバイルデバイスを備える、
Ｃ１に記載の方法。
［Ｃ９］
前記ワイヤレスデバイスは、前記カメラが識別及び通信するように構成されたワイヤレスデバイスを備える、
Ｃ１に記載の方法。
［Ｃ１０］
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
をさらに備える、Ｃ１に記載の方法。
［Ｃ１１］
前記カメラと前記ワイヤレスデバイスとの間の距離を決定することは、前記カメラと前記ワイヤレスデバイスとの間の距離を約１メートルの精度で決定することを備える、
Ｃ１に記載の方法。
［Ｃ１２］
前記カメラの前記調整されたフォーカスを使用して画像をキャプチャすることは、前記カメラの前記調整されたフォーカスを使用して、複数の画像を備えるビデオをキャプチャすることを備える、
Ｃ１に記載の方法。
［Ｃ１３］
自動的なフォーカスを使用して画像をキャプチャするための装置であって、
１つ又は複数の画像をキャプチャするように構成されたカメラと、
処理システムと
を備え、前記処理システムは、
ワイヤレスネットワークと通信することと、
前記ワイヤレスネットワークを使用して前記カメラとワイヤレスデバイスとの間の距離を決定することと、
前記決定された距離に基づいて前記カメラのフォーカスを調整することと
を行うように構成される、装置。
［Ｃ１４］
前記ワイヤレスネットワークは、ＩＥＥＥ ８０２．１１ベースのネットワーク、セルラネットワーク、またはブルートゥースネットワークのうちの１つである、
Ｃ１３に記載の装置。
［Ｃ１５］
前記ワイヤレスネットワークは、ピアツーピアワイヤレス通信ネットワークを備え、前記処理システムは、前記ピアツーピアワイヤレスネットワークを介して前記ワイヤレスデバイスと通信するようにさらに構成される、
Ｃ１３に記載の装置。
［Ｃ１６］
前記ワイヤレスデバイスは、前記画像の対象である人物によって着用されるモバイルデバイスを備える、
Ｃ１３に記載の装置。
［Ｃ１７］
前記処理システムは、前記ワイヤレスネットワークを通じて前記ワイヤレスデバイスからのグローバルポジショニングシステムロケーションを要求するようにさらに構成される、
Ｃ１３に記載の装置。
［Ｃ１８］
前記処理システムは、
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
を行うようにさらに構成される、Ｃ１３に記載の装置。
［Ｃ１９］
前記処理システムは、前記カメラと前記ワイヤレスデバイスとの間の前記距離を約１メートルの精度で決定するようにさらに構成される、
Ｃ１３に記載の装置。
［Ｃ２０］
前記カメラは、前記調整されたフォーカスを使用してビデオを画像キャプチャするようにさらに構成される、
Ｃ１３に記載の装置。
［Ｃ２１］
装置であって、
画像をキャプチャするための手段と、
ワイヤレスネットワークを介してワイヤレスデバイスと通信するための手段と、
前記ワイヤレスネットワークを使用して前記画像キャプチャ手段と前記ワイヤレスデバイスとの間の距離を決定するための手段と、
前記決定された距離に少なくとも部分的に基づいて前記画像をキャプチャする手段のフォーカスを調整するための手段と
を備える、装置。
［Ｃ２２］
前記ワイヤレスネットワークは、ＩＥＥＥ ８０２．１１ベースのネットワーク、セルラネットワーク、又はブルートゥースネットワークのうちの１つである、
Ｃ２１に記載の装置。
［Ｃ２３］
前記ワイヤレスネットワークは、ピアツーピアワイヤレスネットワークを備える、
Ｃ２１に記載の装置。
［Ｃ２４］
距離決定手段は、受信されたグローバルポジショニングシステムロケーションに基づいて、前記画像キャプチャ手段と前記ワイヤレスデバイスとの間の距離を決定するように構成される、
Ｃ２１に記載の装置。
［Ｃ２５］
前記ワイヤレスネットワークを使用して、前記画像キャプチャ手段から前記ワイヤレスデバイスへの方向を決定するための手段と、
前記決定された方向に少なくとも基づいて、前記ワイヤレスデバイスが前記カメラの視野内にあるかどうかを決定するための手段と
をさらに備える、Ｃ２１に記載の装置。
［Ｃ２６］
前記距離決定手段は、前記画像キャプチャ手段と前記ワイヤレスデバイスとの間の距離を約１メートルの精度で決定手段するようにさらに構成される、
Ｃ２４に記載の装置。
［Ｃ２７］
前記画像キャプチャ手段は、カメラを備え、前記通信手段は、トランシーバを備える、
Ｃ２１に記載の装置。
［Ｃ２８］
非一時的なコンピュータ可読媒体であって、実行されると、装置に、
ワイヤレスネットワークを介してワイヤレスデバイスと、カメラを使用して、通信することと、
前記ワイヤレスネットワークを使用して前記カメラと前記ワイヤレスデバイスとの間の距離を決定することと、
前記決定された距離に基づいて前記カメラのフォーカスを調整することと、
前記カメラの前記調整されたフォーカスを使用して画像をキャプチャすることと
を行わせるコードを備える、非一時的なコンピュータ可読媒体。
［Ｃ２９］
実行されると、装置に、前記カメラのグローバルポジショニングシステムロケーションと前記ワイヤレスデバイスのグローバルポジショニングシステムロケーションとに少なくとも部分的に基づいて、前記カメラと前記ワイヤレスデバイスとの間の前記距離を決定することを行わせるコードをさらに備える、
Ｃ２８に記載の非一時的なコンピュータ可読媒体。
［Ｃ３０］
実行されると、装置に、
前記ワイヤレスネットワークを使用して、前記カメラから前記ワイヤレスデバイスへの方向を決定することと、
前記決定された方向に少なくとも基づいて、前記ワイヤレスデバイスが前記カメラの視野内にあるかどうかを決定することと
を行わせるコードをさらに備える、Ｃ２８に記載の非一時的なコンピュータ可読媒体。
【図１】
0006297756.tif 000002
【図２】
0006297756.tif 000003
【図３Ａ】
0006297756.tif 000004
【図３Ｂ】
0006297756.tif 000005
【図４】
0006297756.tif 000006